【事件の表示】
　平成　９年特許願第３１３００９号「スピーカ」拒絶査定不服審判事件〔平成１１年　６月　２日出願公開、特開平１１−１５０７９０、請求項の数（６）〕について、次のとおり審決する。
【結　論】
　原査定を取り消す。
　本願の発明は、特許すべきものとする。
【理　由】
１．経緯  
（１）手続  
　本願は、平成９年１１月１４日の出願であって、平成１８年６月２９日付けで拒絶査定がなされ、これに対して、同年８月３日に拒絶査定に対する審判請求がなされるとともに、同年９月１日付けで手続補正がなされたものである。
　
（２）査定  
　原査定の理由は、概略、下記のとおりである。
　
　　　　　記 
　
　本願の請求項１に係る発明は、下記刊行物１，２に記載された発明に基づいて当業者が容易に発明をすることができたものであるから、特許法第２９条第２項の規定により、特許を受けることができない。  
　　　　　記  
　刊行物１：特開平９−２３８３８９号公報
　刊行物２：特開平９−２７５５９６号公報
　
２．審判請求時の補正の適合性 
　平成１８年９月１日付けの手続補正（本件補正）は、特許法第１７条の２第３項ないし第５項（同項で準用する第１２６条第５項）の各規定に適合する。詳細は、以下のとおりである。  
（１）補正の内容  
　本件補正は、次のような請求項の補正を含むものである。  
　（ａ）補正事項１
　請求項１について、
　「上記ヨークの壁部の内周側と上記プレートの外周側に磁気ギャップを設けた界磁部」（補正前）とあるのを「上記ヨークの壁部の内周側と上記プレートの外周側に磁気ギャップを設け
、内周部に空間を有する
　「外周部を上記プレートに結合して磁気ギャップよりも内周側に配置されたダンパー」（補正前）とあるのを「外周部を上記プレートに結合して磁気ギャップよりも内周側に配置され
るとともに、上記界磁部の内周部の空間を振幅スペースとした
　（ｂ）補正事項２
　上記補正に対応して発明の詳細な説明を補正する。
　　
（２）補正の適否 
（２−１）補正の範囲（第１７条の２第３項） 
　上記補正事項１ないし２は、願書に最初に添付した明細書及び図面の記載（段落【００１７】、【００２０】）に基づくものであり、本件補正は、願書に最初に添付した明細書及び図面に記載した事項の範囲内においてする補正である。  
 　 
（２−２）補正の目的（第１７条の２第４項） 
　補正事項１は、補正前に記載のあった「界磁部」及び「ダンパー」の内容を限定するものであり、しかも補正の前後において、産業上の利用分野及び解決しようとする課題は同一であるから、特許請求の範囲の減縮に該当する。
　補正事項２は、補正事項１に伴ってなされたものであり、誤記の訂正に該当する。
　
（２−３）独立特許要件（第１７条の２第５項） 
　補正事項１は、特許請求の範囲の減縮を目的とする補正であるので、以下、その独立特許要件について検討する。  
　
　（ａ）補正後発明  
　補正後の請求項１から請求項６までに係る発明（以下、補正後各発明という。）は、下記のとおりのものである。  
　　　　　記（補正後各発明）  
【請求項１】　底面とその外周に上方へ延びた壁部を有するヨークとこのヨークの上記底面に配置されたマグネットとこのマグネット上に配置されたプレートからなり、上記ヨークの壁部の内周側と上記プレートの外周側間に磁気ギャップを設け
、内周部に空間を有する
るとともに、上記界磁部の内周部の空間を振幅スペースとした
【請求項２】　ダンパーの中心部と副振動板の中心部とをセンターキャップを介して結合した請求項１に記載のスピーカ。
【請求項３】　副振動板の外周部にエッジ部を設けた請求項１に記載のスピーカ。
【請求項４】　主振動板または副振動板の上面にダストキャップを結合した請求項１に記載のスピーカ。
【請求項５】　ダンパーの内側のセンターキャップとプレート間に他のダンパーを接合した請求項２に記載のスピーカ。
【請求項６】　センターキャップを下方に延長し、界磁部でガイドさせた請求項２に記載のスピーカ。
　
　（ｂ）補正後各発明が備える特定事項
　（ｂ１）査定で引用された各刊行物のいずれにも、補正後各発明が備える下記の特定事項（以下、「特定事項Ａ」ともいう）は記載されていない。また、各刊行物を組み合わせても、同特定事項を導くことはできない。          　　　　　　　　　　記 
底面とその外周に上方へ延びた壁部を有するヨークとこのヨークの上記底面に配置されたマグネットとこのマグネット上に配置されたプレートからなり、上記ヨークの壁部の内周側と上記プレートの外周側間に磁気ギャップを設け
、内周部に空間を有する
とともに、上記界磁部の内周部の空間を振幅スペースとした
　（ｂ２）そして、補正後各発明は、上記特定事項を備えることにより、「従来のスピーカに比べ、振動板が主振動板１１と副振動板１２に２分割されているため、一般のスピーカ同様、スペーサ１３を用いて組み立てることが可能で、磁気ギャップ５より内側にダンパー９を配置し、その振幅スペース６として内磁型の界磁部１の内周部の空間を利用する薄型スピーカにおいても、ボイスコイル８を磁気ギャップ５に対して傾斜や偏心のない状態で結合できるため、異常音を発することがなく、薄型化と低不良率とを両立させることができるものである。」（段落【００２０】）等の明細書に記載の顕著な効果を奏するものと認められる。
　（ｂ３）以上によれば、補正後各発明は、査定で引用された各刊行物に記載された発明に基づいて当業者が容易に発明をすることができたものであるとすることはできない。
　
　（ｃ）引用刊行物の記載等 
　各刊行物の記載について検討する。 
　（ｃ１）刊行物１（特開平９−２３８３８９号公報）
　刊行物１には、図面と共に以下に掲げる事項が記載されている。　
　ア．「【００１５】本発明に係るスピーカ装置は、図１に示すように、磁性材料により形成された円盤状のヨーク２を有している。このヨーク２は、前面部中央に、一体的に突設された円柱状のセンターポール１を有している。
【００１６】上記ヨーク２の前面部には、円環状の駆動マグネット３が、接着剤により固定して配設されている。この駆動マグネット３は、上記センターポール１に対して同軸状となされている。すなわち、この駆動マグネット３の中央の透孔部内には、上記センターポール１が進入されている。
【００１７】上記駆動マグネット３の前面部には、磁性材料により中央部に透孔を有する円盤状（円環状）に形成されたトッププレート４が、接着剤により、取付けられている。このトッププレート４は、上記センターポールに対して同軸状に配設されている。上記トッププレート４の中央部の透孔には、上記センターポール１の先端側部分が進入されている。
【００１８】すなわち、上記トッププレート４を上記駆動マグネット３に取付けるときには、上記センターポール１の外周面とこのトッププレート４の中央部の透孔の内周面との間にギャップガイドを挿入して、このトッププレート４を該センターポール１に対して位置決めした状態で、このトッププレート４を該駆動マグネット３に対して接着させる。そして、上記トッププレート４を上記駆動マグネット３に対して接着させる接着剤が固化した後に、上記ギャップガイドを取り除くことにより、このトッププレート４は、上記センターポール１に対して位置決めされた状態で、固定される。
【００１９】上記トッププレート４の中央部の透孔の内周面部と、上記センターポール１の先端側部分の外周面部とは、互いに対向し、磁気ギャップ部１５を形成している。
【００２０】上記トップレート４の前面部には、略々円錐状に前端側が拡径された円筒状のフレーム８の後端側部分が取付けられている。
【００２１】そして、上記フレーム８の前端側の保持部には、中低音用振動板５の周囲部分が、エッジ部１３を介してガスケット１４により取付けられている。このエッジ部１３は、可撓性を有して形成され、前後方向に変位可能となっている。上記中低音用振動板５は、中央部分に透孔を有する略々円錐形状に形成されている。
【００２２】上記中低音用振動板５の中央部分には、後方側に向けて、第１のボビン６が取付けられている。この第１のボビン６は、円筒状に形成され、前端部を上記中低音用振動板５に対して取付けられている。この第１のボビン６は、高い剛性を有しながら、軽量に形成することが望ましい。したがって、この第１のボビン６は、ベークライト板、エポキシ樹脂を含浸した紙や布、ガラス−エポキシ板（エポキシ樹脂で固めたガラス繊維材料）等の如き合成樹脂材料、金属箔、紙を円筒状に丸めて形成することが望ましい。
【００２３】上記第１のボビン６の後端側の外周面部には、中低音用ボイスコイル７が接着されている。この中低音用ボイスコイル７は、引き出し線（錦糸線）１０を有して、巻回されて円筒状に形成されている。上記引き出し線１０は、上記フレーム８のフレーム部に設けられた接点部１１に半田付けされて接続される。
【００２４】そして、上記中低音用振動板５の前面部分には、高音用振動板１８の周囲部分が、エッジ部１９を介して取付けられている。この高音用振動板１８は、上記中低音用振動板５よりも、小径、かつ、軽量に形成されている。このエッジ部１９は、可撓性を有して形成され、前後方向に変位可能となっている。上記高音用振動板１８は、中央部分にドーム状のキャップ１２により閉蓋された透孔を有する略々円錐形状に形成されている。
【００２５】上記高音用振動板１８の中央部分には、後方側に向けて、第２のボビン１６が取付けられている。この第２のボビン１６は、円筒状に形成され、前端部を上記高音用振動板１８に対して取付けられ、上記第１のボビン６の内方側に位置し、この第１のボビン６に対して同軸状となされている。この第２のボビン１６は、上記第１のボビン６と同様に、高い剛性を有しながら、軽量に形成することが望ましい。
【００２６】上記第２のボビン１６の後端側の外周面部には、高音用ボイスコイル２０が接着されている。この高音用ボイスコイル２０は、上記中低音用ボイスコイル７に対し、前後方向について略々同一の位置となされている。
【００２７】この高音用ボイスコイル２０は、引き出し線（錦糸線）１０を有して、円筒状に巻回されて形成されている。上記引き出し線１０は、上記接点部１１に半田付けされて接続される。すなわち、これら中低音用ボイスコイル７及び高音用ボイスコイル２０は、上記接点部１１に対して、互いに並列に接続されている。このスピーカ装置においては、これら２個のボイスコイル７，２０が並列に接続されているため、１個のボイスコイルによってスピーカ装置を構成する場合に比較して、ボイスコイルを構成する線材として細い線材を使用することができ、１個のボイスコイルあたりの重量を小さくすることができる。
【００２８】そして、上記第１及び第２のボビン６，１６間は、軟質接着剤１７により、互いに弾性的に保持されている。この軟質接着剤１７としては、例えば、ゴム系接着剤（例えば、ソニーケミカル社製ＳＣ８０１、ＳＣ１０８等）や、ノガワケミカル社製のＤＢボンド１１０５やＤＢボンド１１０１等、あるいは、いわゆるロックワニス、各種のダンプ剤等が適している。
【００２９】上記中低音用ボイスコイル７及び上記高音用ボイスコイル２０は、上記磁気ギャップ部１５内に位置されている。すなわち、上記中低音用ボイスコイル７は、上記センターポール１に対して同軸状となされて、このセンターポール１と上記トッププレート４の中央部の透孔の内面部との間に進入されている。
【００３０】すなわち、上記中低音用ボイスコイル７が巻回された上記第１のボビン６を上記中低音用振動板５に取付けるときには、上記センターポール１の外周面とこの第１のボビン６の内周面との間にボイスコイルスペーサを挿入して、この第１のボビン６を該センターポール１に対して位置決めした状態で、この第１のボビン６を該中低音用振動板５に対して接着させる。そして、上記第１のボビン６を上記中低音用振動板５に対して接着させる接着剤が固化した後に、上記ボイスコイルスペーサを取り除くことにより、この第１のボビン６は、上記センターポール１に対して位置決めされた状態で、固定される。
【００３１】そして、上記第１のボビン６の前端側部分は、可撓性及び振動吸収性を有するダンパ９を介して、上記トッププレート４に対して接続され支持されている。
【００３２】このスピーカ装置においては、上記接点部１１及び上記引き出し線１０を介して上記中低音用ボイスコイル７及び上記高音用ボイスコイル２０に電気信号が供給されることにより、これら中低音用ボイスコイル７及び上記高音用ボイスコイル２０は、上記磁気ギャップ部１５内の磁束中を上記中低音用振動板５及び上記高音用振動板１８を伴って移動し、これら中低音用振動板５及び上記高音用振動板１８を振動させ、音響を発生させる。」
イ．第１図の記載からみて、高音用振動板は、中低音用振動板の前面側で、かつ、第１のボビンが取り付けられた箇所より周囲方向側の場所に取り付けられている。
　しかしながら、上記特定事項Ａについては記載がなく示唆もない。
　
　（ｃ２）刊行物２（特開平９−２７５５９６号公報）
ア．「【００１５】以下、本発明の実施の形態について図１〜図７により説明する。
（実施の形態１）図１は本発明のパッシブラジエータの一実施の形態の側断面図である。同図によると、１１は底面に開口部１１ａを有するフレームであり、１５はこの開口部１１ａに周縁部を接着結合してなるダンパーであり、中央にはウェイトリング１６を載置するための平坦部１５ａを有している。
【００１６】１２は上記フレーム１１の上端に周端のエッジ部１３を介して接着結合するとともに、上記ウェイトリング１６をダンパー１５とで接着挟持する振動板である。
【００１７】１２ａは上記ウェイトリング１６を上記ダンパー１５とで直接接着挟持するダストキャップであり、振動板１２と一体に設けたものである。
【００１８】以上のように本実施の形態においてはウェイトリング１６を挟持して装着するように構成したので、ボビンを削除できるとともに、従来の突き合せてのボビンの支持に比較して、装着の信頼性の向上が図れるものである。
【００１９】また、フレーム１１、ダンパー１５、ウェイトリング１６、振動板１２を下から順に積み上げて組立てできるので、接着などの結合工程も含め、自動組立化にも適した構成となっている。
【００２０】なお、本実施の形態においてはダストキャップ１２ａを振動板１２に一体に設けたが、外観上問題がなければダストキャップ１２ａを特に設けず、振動板１２自体とダンパー１５とでウェイトリング１６を挟持しても良いものである。」
イ．第１図の記載からみて、振動板は、その中央部でウェイトリングをダンパーとで接着挟持するとともに、その周辺部をエッジ部を介してフレームの上端に接着結合するものである。
　しかしながら、上記記載によれば、上記特定事項Ａについては記載がなく示唆もない。
　
　（ｄ）前置審査報告 
　前置報告書においては、各刊行物の記載箇所を、それぞれ上記と同様に挙げているが、上記「（ｃ）引用刊行物の記載等」で検討したように、それら記載箇所のいずれにも補正後各発明の上記特定事項Ａについて記載も示唆もない。また、各刊行物及び周知技術を組み合わせても同特定事項Ａを導くことは容易とはいえない。
　すなわち、刊行物２（上記報告においては「文献２」）記載のパッシブラジエータは、所定の質量を有するウェイトリングを備えて重低音を増強するパッシブなもの（段落【０００２】）であり、しかも単体で使用し他の振動板と接着するものでもないから、刊行物１（上記報告においては「文献１」）記載の、軽量であって中低音用振動板に接着しておりボイスコイルにより駆動されるアクティブな高音用振動板に置き換えて刊行物２のものを採用することは不自然といえる。そして、外磁型のスピーカを周知の内磁型のものに単に置換すること自体は適宜なし得るとしても、それにより界磁部内側に空間を設け、上記不自然な置き換えにともない、ダンパを上記空間に配置しつつその中心部を（ラジエータの）振動板の中心部に結合（ただし、高音用とするためには上記ウェイトリングを除去してダンパと振動板を結合する必要があると解される）しなければ本願発明を構成できないのであり、周知技術を考慮したとしても、上記発明過程を経て本願発明を構成することが刊行物１、２及び周知技術から当業者が容易に推考しえたとはいえない。また、上記過程が本願発明における薄型スピーカの作成の容易さを想起するものともいえない。
　
　（ｅ）その他の理由 
　また、他に、補正後各発明が特許出願の際独立して特許を受けることができないとする理由を発見しない。 
　 
　（ｆ）小括（独立特許要件）  
 　以上、補正後各発明は、特許出願の際独立して特許を受けることができるものである。
　　
（２−４）まとめ（適否）  
　以上、本件補正は、上記各規定に適合する。  
　
３．本願発明
　本願の請求項１から請求項６に係る発明は、本願明細書及び図面（平成１８年５月１９日付け及び平成１８年９月１日付け手続補正書により補正された明細書及び図面）の記載からみて、その特許請求の範囲の請求項１から請求項６までに記載した事項により特定されるとおりのものである（上記補正後各発明と同じ、以下「本願各発明」という）。
　
４．査定の検討  
　本願各発明は、補正後各発明の独立特許要件についてした上記判断での理由と同じ理由により、査定で引用された各刊行物に記載された発明及び周知技術に基づいて当業者が容易に発明をすることができたものであるとすることはできない。 
　
５．むすび
　以上のとおりであるから、本願の請求項１から請求項６までに係る発明が上記各刊行物に記載された発明及び周知技術に基づいて当業者が容易に発明をすることができたものであるという原査定の理由によっては本願を拒絶することはできない。  
　また、他に、本願を拒絶すべき理由を発見しない。  
　よって、結論のとおり審決する。